(57)【要約】化粧物質アプリケータが開示されており、物体表面（２１０）とその表面に提供された化粧物質（２２０）を含んでいる。化粧物質は、物体表面と化粧物質との間で作用する静電気吸着力を利用して物体表面上に保持されている。物体表面と化粧物質との間にワックス系またはオイル系の下敷層を提供することもできる。物体は化粧物質及び下敷層を保持し、化粧物質の大部分を使用者の皮膚上に１回の拭い取り作業で容易に移動させることができるように選択される。
2004501710.tif 000002
【特許請求の範囲】
【請求項１】
化粧物質アプリケータであって、物体表面と、該物体表面上に提供された化粧物質とを含んで構成されており、該化粧物質は該物体表面上に、該物体表面と該化粧物質との間に作用する静電気吸着力を少なくとも部分的に利用して保持されていることを特徴とする化粧物質アプリケータ。
【請求項２】
物体は平坦シートであることを特徴とする請求項１記載の化粧物質アプリケータ。
【請求項３】
平坦シートはフレキシブルなシートであることを特徴とする請求項２記載の化粧物質アプリケータ。
【請求項４】
物体表面と化粧物質との間にワックス系またはオイル系の下敷層をさらに含んでいることを特徴とする請求項１から３のいずれかに記載の化粧物質アプリケータ。
【請求項５】
ワックス系またはオイル系下敷層は化粧用ファンデーションであることを特徴とする請求項４記載の化粧物質アプリケータ。
【請求項６】
下敷層は化粧時に外側の保護層を提供することを特徴とする請求項４または５に記載の化粧物質アプリケータ。
【請求項７】
物体は、少なくとも部分的に静電気吸着力作用で化粧物質を吸着し、吸着した化粧物質の大部分を使用者皮膚面に１回の擦り作業で接着させるように選択されることを特徴とする請求項１から６のいずれかに記載の化粧物質アプリケータ。
【請求項８】
物体表面は、該表面を提供する第１部分と、親指と他の指とで挟んで保持するための第２部分とを提供する平坦シート上に提供されることを特徴とする請求項７記載の化粧物質アプリケータ。
【請求項９】
第１部分は第２部分よりも広いことを特徴とする請求項８記載の化粧物質アプリケータ。
【請求項１０】
第１部分と第２部分は平坦シート物体の曲線縁部で少なくとも部分的に提供されていることを特徴とする請求項８または９に記載の化粧物質アプリケータ。
【請求項１１】
平坦シートは長形であり、第１部分は瞼にマッチする長さと幅で提供されていることを特徴とする請求項８から１０のいずれかに記載の化粧物質アプリケータ。
【請求項１２】
物体表面は比較的に低い摩擦係数を有していることを特徴とする請求項１から１１のいずれかに記載の化粧物質アプリケータ。
【請求項１３】
物体表面はＰＴＦＥ（ポリテトラフルオロエチレン）またはＰＴＦＥ含有物質で提供されていることを特徴とする請求項１２記載の化粧物質アプリケータ。
【請求項１４】
静電気吸着力は帯電した物体表面で提供されることを特徴とする請求項１から１３のいずれかに記載の化粧物質アプリケータ。
【請求項１５】
化粧物質は顆粒、粉体または粉末ベースで提供されることを特徴とする請求項１から１４のいずれかに記載の化粧物質アプリケータ。
【請求項１６】
化粧物質はアイシャドーであることを特徴とする請求項１から１４のいずれかに記載の化粧物質アプリケータ。
【請求項１７】
化粧物質はクリーム、ワックスまたは他の粘液ベースで提供されることを特徴とする請求項１から１４のいずれかに記載の化粧物質アプリケータ。
【請求項１８】
化粧物質は物体表面上にて別々に異なる色彩の化粧物質を含んでおり、使用時に異なる色彩効果を提供することを特徴とする請求項１から１７のいずれかに記載の化粧物質アプリケータ。
【請求項１９】
化粧物質は物体表面に少なくとも部分的には静電気吸着力を利用して塗布されることを特徴とする請求項１から１８のいずれかに記載の化粧物質アプリケータ。
【請求項２０】
化粧物質アプリケータであって、物体表面と、該物体表面上に提供された化粧物質と、該物体表面と該化粧物質との間に提供されたワックス系またはオイル系下敷層とを含んで構成されており、該物体は、該化粧物質と該下敷層とを保持するとともに、該化粧物質の大部分を使用者の皮膚上に１回の作用で容易に移動させるように選択されることを特徴とする化粧物質アプリケータ。
【請求項２１】
物体は平坦シートであることを特徴とする請求項２０記載の化粧物質アプリケータ。
【請求項２２】
平坦シートはフレキシブルなシートであることを特徴とする請求項２１記載の化粧物質アプリケータ。
【請求項２３】
ワックス系またはオイル系下敷層は化粧用ファンデーションであることを特徴とする請求項２０から２２のいずれかに記載の化粧物質アプリケータ。
【請求項２４】
下敷層は化粧時に外側の保護層を提供することを特徴とする請求項２０から２３のいずれかに記載の化粧物質アプリケータ。
【請求項２５】
物体表面は、該表面を提供する第１部分と、親指と他の指とで挟んで保持するための第２部分とを提供する平坦シート上に提供されることを特徴とする請求項２０から２４のいずれかに記載の化粧物質アプリケータ。
【請求項２６】
第１部分は第２部分よりも広いことを特徴とする請求項２５記載の化粧物質アプリケータ。
【請求項２７】
第１部分と第２部分は平坦シート物体の曲線縁部で少なくとも部分的に提供されていることを特徴とする請求項２５または２６に記載の化粧物質アプリケータ。
【請求項２８】
平坦シートは長形であり、第１部分は瞼にマッチする長さと幅で提供されていることを特徴とする請求項２５から２７のいずれかに記載の化粧物質アプリケータ。
【請求項２９】
物体表面は比較的に低い摩擦係数を有していることを特徴とする請求項２０から２８のいずれかに記載の化粧物質アプリケータ。
【請求項３０】
物体表面はＰＴＦＥ（ポリテトラフルオロエチレン）またはＰＴＦＥ含有物質で提供されていることを特徴とする請求項２９記載の化粧物質アプリケータ。
【請求項３１】
化粧物質は顆粒、粉体または粉末ベースで提供されることを特徴とする請求項２０から３０のいずれかに記載の化粧物質アプリケータ。
【請求項３２】
化粧物質はアイシャドーであることを特徴とする請求項２０から３０のいずれかに記載の化粧物質アプリケータ。
【請求項３３】
化粧物質は物体表面上にて別々に異なる色彩の化粧物質を含んでおり、使用時に異なる色彩効果を提供することを特徴とする請求項２０から３２のいずれかに記載の化粧物質アプリケータ。
【請求項３４】
化粧物質アプリケータの製造方法であって、表面を有した物体を提供するステップと、該表面上に少なくとも部分的に化粧物質を塗布するステップとを含んでおり、該化粧物質は該表面上に、該表面と該化粧物質との間に作用する静電気吸着力を少なくとも部分的に利用して吸着保持されていることを特徴とする製造方法。
【請求項３５】
化粧物質は物体表面にスプレーによって提供されることを特徴とする請求項３４記載の製造方法。
【請求項３６】
物体表面と化粧物質との間にワックス系またはオイル系下敷層を塗布するステップをさらに含んでいることを特徴とする請求項３４または３５に記載の製造方法。
【請求項３７】
ワックス系またはオイル系下敷層は化粧用ファンデーションであることを特徴とする請求項３６記載の方法。
【請求項３８】
物体表面に抜き型を被せ、化粧物質を該物体表面上で型抜き提供するステップをさらに含んでいることを特徴とする請求項３４から３７のいずれかに記載の製造方法。
【請求項３９】
請求項１から３３のいずれかに記載の化粧物質アプリケータを使用させる方法であって、使用者の皮膚表面における１回の拭い取り作業で化粧物質を皮膚表面上に移動させるステップを含んでいることを特徴とする使用方法。
【請求項４０】
化粧時に、化粧物質と共にワックス系またはオイル系下敷層を外側保護層として皮膚に提供することを特徴する請求項３９記載の使用方法。
【請求項４１】
請求項８記載の化粧物質アプリケータを使用させる方法であって、物体表面は、物体表面を提供する第１部分と、第２部分とを提供する平坦シート上に提供されており、該第２部分を親指と他の指との間で保持させることで化粧物質を使用者の皮膚表面に１回の拭い取り作業で移動させるステップを含んでいることを特徴とする使用方法。
【請求項４２】
平坦シートは長形であり、第１部分は瞼にマッチする長さと幅とで提供されていることを特徴とする請求項３９から４１のいずれかに記載の使用方法。
【請求項４３】
化粧物質アプリケータキットであって、手を使用して利用できる形態にて、請求項１から３３のいずれかに記載の化粧物質アプリケータの配列を含んでいることを特徴とする化粧物質アプリケータキット。
【発明の詳細な説明】
【０００１】
【発明の属する技術分野】
発明の分野
本発明は化粧品に関し、特には化粧物質アプリケータに関する。
【０００２】
【従来の技術および発明が解決しようとする課題】
発明の背景
様々な化粧品が使用されており、多種多様な化粧物質のアプリケータが存在する。美顔用の化粧物質は鉛筆、ブラシ、スティック等を利用して使用される。
【０００３】
従来の化粧物質アプリケータに特別な問題はない。しかし、美顔用化粧物質のパックや塗布のアプリケータには改良すべき点が多々存在する。また、完璧な化粧を施すには化粧技術のマスターも要求される。
【０００４】
多くの女性はアイシャドーの利用に困難を感じている。左右の瞼のバランスを取りながら色彩が脇にはみ出すことがないように注意しなければならない。このように左右が分かれていて繊細な注意を必要とする化粧はアイシャドー以外にはない。アイシャドーには通常は１０分から１５分を要する。それでも思うように化粧を施すことは容易ではない。このような困難を伴うため、多くの女性にアイシャドーによる目の化粧を諦めている。
【０００５】
本発明者は目の化粧に関する問題は口紅等の他の化粧品にも多かれ少なかれ共通すると認識する。
【０００６】
さらに、現在のパック化粧は化粧物質を無駄にしている。化粧物質の製造コストは比較的に高価であり、化粧品の価格を押し上げている。
【０００７】
米国特許第４９２５６６７号と第４７５２４９６号は、ストリップを剥ぎ取って使用するタイプで、基礎に付着させた化粧品を開示する。米国特許第５６９０１３０号と第１１９７０４号は、アプリケータ表面を提供する布または不織布を、繊維を“静電気”の力で付着させている化粧品を解説する。化粧物質は熱可塑性フィルムでこの布の上に保持される。
【０００８】
本発明の１目的は化粧品の使用に関する上述の問題の解決である。
【０００９】
【課題を解決するための手段】
発明の概要
本発明のコンセプトは、適当な物体表面上に化粧物質の適量を保持させることで化粧品を便利に提供することである。
【００１０】
本発明は、物体表面と、その表面に提供された化粧物質とを含んだ化粧物質アプリケータを提供する。化粧物質は、表面と化粧物質との間に発生する静電気の吸着力の助けを借りて物体表面に保持される。表面物体は充分な静電気力を提供するように選択される。
【００１１】
本発明は、物体表面と、その表面に提供された化粧物質と、その表面と化粧物質との間に提供されたワックス系またはオイル系の物質層とを含んだ化粧物質アプリケータを提供する。その表面物体は化粧物質とワックス系物質層を保持させる一方、化粧物質の大部分を人体の皮膚に容易に移動させる物質から選択される。
【００１２】
好適には、その物質層は化粧品のファンデーションである。好適には物質層は化粧物質の拭い移し時に外側保護層を提供するものである。
【００１３】
好適には、表面物体は、第１部分と、手の指間で摘まむ第２部分とを提供するように形状化され、１回の拭い移しを実行させる平坦シート上に提供されている。第１部分は第２部分よりも一般的に大きい領域である。
【００１４】
好適には、表面物体は平坦シートとして提供される。好適には平坦シートは適当な形状とサイズにカットされ、化粧物質アプリケータを使い易くしている。
【００１５】
好適には物体表面は比較的に低い摩擦係数を有している。この低摩擦係数を提供するため、物体表面はＰＴＦＥ（テフロン（登録商標））またはＰＴＦＥ含有物で提供されている。
【００１６】
好適には前述の静電気吸引力は静電気で帯電した物体表面で提供される。
【００１７】
化粧物質は、アイシャドーのごとき顆粒状または粉状、口紅またはファンデーションのごときクリーム状、ワックス状または粘液状である。
【００１８】
化粧物質が粉末であるときは物体表面にスプレーで塗布することができる。好適には、化粧物質のスプレーは、物体表面と化粧物質との間の静電気吸引力を利用して塗布される。
【００１９】
好適には、物体表面は化粧物質の便利な利用性を考慮した形状とサイズで提供される。好適には物体表面は、化粧物質が塗布された領域と、化粧物質が塗布されていない領域とを含んでいる。有利には、化粧物質は別々の表面領域に別色の化粧物質を含んでおり、使用時に別色の化粧物質の利用性を提供する。
【００２０】
本発明は化粧物質アプリケータの製造方法をも提供する。この製造方法は、表面を有した物体を提供するステップと、その表面の少なくとも一部に化粧物質を塗布するステップとを含んでいる。この塗布は物体表面と化粧物質との間の静電気作用を利用する。
【００２１】
化粧物質はスプレーで物体表面に塗布される。
【００２２】
好適には、この製造方法は物体表面に切抜き型紙を利用して表面に化粧物質を望む形状に塗布する。
【００２３】
本発明は化粧物質の利用方法をも提供する。この利用方法は、アプリケータ表面から化粧物質を１回の拭い移しで皮膚表面に適用することを含んでいる。
【００２４】
【発明の実施の形態】
実施例の説明
本発明の１実施例に従って製造された化粧物質アプリケータ２００を解説する。化粧物質アプリケータ２００の製造は図２の製造設備１０を使用して達成される。化粧物質アプリケータ２００のシートは図３に図示されている。拡大されたアプリケータは図１に図示されている。
【００２５】
実物の２倍以上に拡大された化粧物質アプリケータ２００は図１に図示されており、選択された非常にフレキシブルなＰＴＦＥ含有物質で成る物体表面２１０を含んでいる。物体表面２１０は相対的に広い第１部分２２０と相対的に狭い第２部分２５０に分割されている。第１部分２２０は化粧ファンデーション等のワックス系またはオイル系物質の下敷層でカバーされており、さらに、例えば、着色メーキャップパウダー等の化粧物質が上側層として塗布されている。第２部分２５０には何も塗布されていない。第１部分２２０と第２部分２５０は境界線２２５で分離されており、それぞれアプリケータシート２００の曲線２２１と２５１の縁部を有している。
【００２６】
第１部分２２０は境界２２２で第１領域２３０と第２領域２４０に分割されている。これら領域は異なる色彩及び／又はタイプの化粧物質で覆われている。第１領域２３０と第２領域２４０は、瞼の上で同時に表現される２種の色彩を提供する。２種類のみの領域２３０と２４０のアレンジは図１に図示されている。これは瞼の上下部分に異なる色彩を塗布させたり、様々な色彩を塗布させたり、グラデーション効果を提供させるものである。
【００２７】
図３の“剥ぎ取り”形状の物体表面２１０はアイシャドーを瞼に塗布させるのに特に好適なものである。物体表面の第２部分２５０には化粧物質が塗布されていないので、親指と人差し指で摘まむことができる。このように指で保持されると、人差し指はアプリケータ２００の背後に圧力を掛けることができ、下敷層と共に化粧物資を皮膚面上で拭い取らせることがでる。皮膚に付着するアイシャドー部分の量は指圧力で加減できる。下敷層は保護コーティングを提供し、長時間アイシャドーを瞼上で安定させて保持させる。
【００２８】
拭い移しはアプリケータ２００の瞼にマッチした曲線、長形形状及び長さと幅を考慮して提供される。
【００２９】
低摩擦係数であるＰＴＦＥ含有物質である物体表面２１０は化粧物質と下敷層を保持し、静電気を発生させ、使用時には大部分の化粧物質を１回の作業で皮膚面に移動させる物質から選択される。化粧物質は物体表面２１０から皮膚に容易に移動される。よって、物体表面は静電気を発生させ、この移動を助けるものでなければならない。
【００３０】
アプリケータ２００の適当なＰＴＦＥ含有物質はドットマールＥＰＰ社が供給するＦＬ１００バージンＰＴＦＥであり、好適には１インチの４千分の１から５千分の１（約０．１００から０．１２５ｍｍ）の厚みであり、０．２３ＭＰａで静摩擦係数０．０４を有し、０．２３ＭＰａ、０．７５ｍ／秒で動摩擦係数０．０５を有したものである。比重は２．１６、張力３０．０ＭＰａ、曲げ応力６９０ＭＰａ、５％張力で圧縮強度１２．１である。ショアＤ硬度は５０から６５である。
【００３１】
他の適したＰＴＦＥ含有物質は、ＰＴＦＥ含浸またはコーティングされた紙または繊維であり、例えば、ガラス繊維、メッシュ体またはＰＴＦＥコーティングされたプラスチック基材である。
【００３２】
化粧物質と物体表面２１０との間の静電気は少なくとも部分的に化粧物質の物体表面への付着を助ける。下敷ワックスまたはオイルはさらにこの付着を助ける。典型的には外側の保護膜は存在しないが、必要であれば利用できる。
【００３３】
図１のアプリケータ２００の原則的な寸法は、ｘが約６０ｍｍから７５ｍｍ、ｙが１５ｍｍから２５ｍｍである。よって、アプリケータは長さと幅のの比の値が約３から４である。
【００３４】
ＰＴＦＥ含有物質のシートから切り出された物体表面２１０と、その静電気作用は物体表面への化粧物質の付着を助ける。
【００３５】
化粧物質アプリケータ２００は図２の製造設備で製造できる。選択されたＰＴＦＥ含有物質のシートロールがロール３０で対面する摩擦プレート４０の間を通過して巻き取られる。物体シート２０がプレート４０間を通過するとき物体シート２０は静電気で帯電する。物体シート２０は個々の方形シート５０に切断される。方形シートはコンベヤーで自動塗布装置６０に送られる。所定の方形シート５０に提供されたアプリケータ２００の塗布部分２２０の形状穴を有した抜き型が方形シート上に置かれる。
【００３６】
自動塗布装置６０が使用され、方形シート５０にワックスまたはオイルの下敷層を塗布し、その後に化粧物質が塗布される。化粧物質である着色粉末物質は顔料タンク７５の混合桶７０に供給され、空気タンク８０からの空気と混合される。空気が混入された多彩な色彩の化粧物質は粉末パイプ１００を介して自動塗布装置６０に送られる。エアノズル１１０は空気混入粉末を抜き型に覆われているワックス塗布された方形シート５０上に搬送する。コントローラ５５のコンピュータ制御プログラムは塗布装置６０を制御する。
【００３７】
方形シート５０に化粧物質が塗布された後に、抜き型は取り除かれる。続いて型抜き機で個々のアプリケータ２００が図３のパターンで抜き取られる。アプリケータ２００の各ブロック２０５は必要に応じて、例えば、容易に利用できる型トレー３１０にパッケージできる。パッケージは手で利用できるアプリケータの連続体を含んだ化粧物質アプリケータキットを形成する。アプリケータは左右対称形状２０８と２０９のペア状態２０７で提供される。すなわち、アプリケータは左右の目にそれぞれ適用できるように提供されている。
【００３８】
別の形態では、ワックスまたはオイルの下敷層の適用に加えて、物体シート２０の表面は適当なアルコール剤で拭処理されている。
【００３９】
ペア形態のアプリケータ２００をアイシャドーとして使用すると、使用者に高度の安心感が提供される。アプリケータはコンパクトであり、持ち運びが便利である。このアプリケータは従来のように１０分から１５分も掛けずとも数秒のうちに目のメーキャップを可能にしている。
【図面の簡単な説明】
【図１】図１は本発明の１実施例による化粧物質アプリケータの拡大図であり、特にアイシャドーアプリケータとして好適なものである。
【図２】図２は図１のタイプの化粧物質アプリケータの製造に使用される装置である。
【図３】図３は図１のものとは多少異なる形状の化粧物質アプリケータのセットであり、図２の装置で製造されたものである。
【国際公開パンフレット】
2004501710.tif 000003
2004501710.tif 000004
2004501710.tif 000005
2004501710.tif 000006
2004501710.tif 000007
2004501710.tif 000008
2004501710.tif 000009
2004501710.tif 000010
2004501710.tif 000011
2004501710.tif 000012
2004501710.tif 000013
2004501710.tif 000014
2004501710.tif 000015
2004501710.tif 000016
2004501710.tif 000017
2004501710.tif 000018
【国際調査報告】
2004501710.tif 000019
2004501710.tif 000020
2004501710.tif 000021